(57)【要約】【課題】装置全体の小形化と異常昇温を回避することができる照明装置を提供する。【解決手段】蛍光ランプと、蛍光ランプに電力を供給するインバータ主回路を有する回路基板７ａに、その回路パターンの一部７６ａ（７６ｂ，７６ｃ）に重なり合うようにセラミックチップコンデンサＣ３（Ｃ４，Ｃ５）を面実装してなる点灯装置を具備している。【選択図】  図１
2010040178.tif 000002
【特許請求の範囲】
【請求項１】
発光管と；
回路基板および発光管に電力を供給するインバータ主回路を有し、回路基板には発光管に電力が供給される通電路が形成されていて、この通電路の一部に重なり合うようにセラミックチップコンデンサが回路基板に面実装されてなる点灯装置と；
を具備していることを特徴とする照明装置。
【請求項２】
セラミックチップコンデンサは、インバータ主回路の共振コンデンサとして一対設けられており、これらセラミックチップコンデンサが発光管の電源側と非電源側にてそれぞれ発光管に対して並列に接続されていることを特徴とする請求項１記載の照明装置。
【発明の詳細な説明】
【技術分野】
【０００１】
本発明は、電球形蛍光ランプ等の照明装置に関する。
【背景技術】
【０００２】
従来から、電球形蛍光ランプでは、さらなる小形化が求められており、その一手段として点灯装置の主回路部品である予熱共振コンデンサや直流カットコンデンサとしてセラミックチップコンデンサを使用する方法が知られている。
【０００３】
セラミックチップコンデンサは樹脂モールドの外被からリード線が導出された、いわゆるディスクリート部品のフィルムコンデンサよりも小形で耐熱性が高いことが知られている。
【０００４】
しかし、一般にセラミックチップコンデンサは、破損時に短絡モードになり易く、例えば発光管のインピーダンスが低く、ランプ電流が大きい等の負荷条件によっては異常発熱に至る虞がある。
【０００５】
そこで、下記の特許文献１記載の発明では、セラミックチップコンデンサの短絡時にこのセラミックチップコンデンサに供給される電流を所定値以下に抑制することにより、このセラミックチップコンデンサの短絡時においても、その異常発熱を回避している。
【特許文献１】国際公開第ＷＯ２００７／００７６５４Ａ１号パンフレット
【発明の開示】
【発明が解決しようとする課題】
【０００６】
しかしながら、このような従来の照明装置では、例えば負荷電流の大きい発光管を使用すると、負荷短絡時の電流が大きくなっても、不点にならずにセラミックチップコンデンサが発熱する電流を超える場合がある。この場合はセラミックチップコンデンサの異常発熱を回避できない虞がある。
【０００７】
本発明は、このような事情を考慮してなされたもので、装置全体の小形化と異常昇温を回避することができる照明装置を提供することを目的とする。
【課題を解決するための手段】
【０００８】
請求項１に係る照明装置は、発光管と；回路基板および発光管に電力を供給するインバータ主回路を有し、回路基板には発光管に電力が供給される通電路が形成されていて、この通電路の一部に重なり合うようにセラミックチップコンデンサが回路基板に面実装されてなる点灯装置と；を具備していることを特徴とする。
【０００９】
発光管は、複数本のＵ字形バルブを並設して１本の放電路を形成した屈曲形の発光管や１本のバルブを螺旋状に屈曲した発光管などを含み、放電路の両端に一対の電極が封装される。
【００１０】
通電路は発光管に電力を供給する通電路であり、例えば基板上に導体により形成される回路パターンである。この回路パターンの一部上にセラミックチップコンデンサが重なり合うように配設される。
【００１１】
セラミックチップコンデンサは、積層セラミックチップコンデンサなどとも呼ばれるもので、誘電体シートに金属ペーストを印刷したものを層状に重ねて焼成し、この積層体の両端に電極を接続して構成される。例えば、発光管の寿命末期の不点灯状態の継続により、長時間始動用の電圧が加わると、セラミックの薄膜が破損して、短絡した状態で破壊する可能性があり、さらに、短絡した状態で過大な電流が流れ続けると、セラミックチップコンデンサが高温に発熱する。このために、この高温のセラミックチップコンデンサにより、このセラミックチップコンデンサと一部が重なり合うことにより接触または近傍にある通電路の一部を焼き切って通電路を遮断させる。このために、発光管への通電が遮断されて点灯が停止され、不点灯になるので、セラミックチップコンデンサへの通電も遮断される。これにより、セラミックチップコンデンサの異常発熱を防止し、ひいては発光管や、点灯回路の異常昇温も防止できる。そして、セラミックチップコンデンサを用いることにより、従来のフィルムコンデンサを用いる構成に比べ、点灯装置全体の小形化が容易になる。
【００１２】
請求項２に係る照明装置は、セラミックチップコンデンサは、インバータ主回路の共振コンデンサとして一対設けられており、これらセラミックチップコンデンサが発光管の電源側と非電源側にてそれぞれ発光管に対して並列に接続されていることを特徴とする。
【００１３】
例えばセラミックチップコンデンサは予熱共振用のコンデンサとして発光管の電源側と非電源側とに分割してそれぞれ接続される。
【発明の効果】
【００１４】
請求項１に係る照明装置によれば、セラミックチップコンデンサを用いることにより、従来のフィルムコンデンサを用いる構成に比べ、点灯装置の小形化を容易に図ることができる。セラミックチップコンデンサが短絡した場合には、発熱したセラミックチップコンデンサによりこのセラミックチップコンデンサに一部が重なり合う通電路の一部が焼き切られて遮断される。このために、発光管とセラミックチップコンデンサへの通電が遮断されるので、これら発光管とセラミックチップコンデンサの発熱が強制的に停止され、照明装置の異常昇温を防止できる。
【００１５】
請求項２に係る照明装置によれば、共振コンデンサとして設けられたセラミックチップコンデンサを２つの小さなコンデンサに分割して基板に配設するので、容量の小さいセラミックチップコンデンサを使用することができる。しかも、これら２つのセラミックチップコンデンサを発光管の電源側と非電源側にそれぞれ並列に接続するので、発光管を効率的に予熱することできると共に、点灯時の発光管のフィラメントロスを低減することができる。
【発明を実施するための最良の形態】
【００１６】
以下、本発明の実施形態を添付図面に基づいて説明する。なお、複数の添付図面中、同一または相当部分には同一符号を付している。
【００１７】
図１（Ａ）は本発明の一実施形態に係る電球形蛍光ランプの要部平面図、同図（Ｂ）は同図（Ａ）のＩＢ−ＩＢ線断面図、図２はこの電球形蛍光ランプの一部を縦断面図で示す正面図、図３はこの電球形蛍光ランプの点灯回路の回路図である。
【００１８】
図２に示すように電球形蛍光ランプ１は、その高さ方向（管軸方向）の一端（図１では下端）に口金２を有するカバー３、このカバー３の他端（図１では上端）側に支持された発光管４、この発光管４の一端側を支持するカバー３に取り付けられたホルダ５、発光管４を覆うとともに一端側でホルダ５の周囲も覆ってカバー３に取り付けられたグローブ６、口金２およびカバー３の内側に収納された点灯装置７を備えている。そして、定格電力が例えば４０Ｗタイプ、６０Ｗタイプ、１００Ｗタイプの白熱電球などの一般照明用電球に近い寸法と外観に形成されている。この一般照明用電球とは、ＪＩＳ  Ｃ  ７５０１に定義されている。
【００１９】
口金２は、エジソンタイプのＥ２６形などで、ねじ山を備えた筒状のシェル２ａ、このシェル２ａの一端側の頂部に絶縁部２ｂを介して設けられたアイレット２ｃを備えている。シェル２ａは、その他端側をカバー３の一端部に被せて接着剤またはかしめなどにより固定されている。
【００２０】
カバー３は、例えばポリブチレンテレフタレート（ＰＢＴ）などの耐熱性合成樹脂により図１中下方に向けて漸次縮径する逆円錐台状部と円筒状部を一体に連成したカバー本体３ａを有し、このカバー本体３ａの一端（図１中下端）側には口金２のシェル２ａが取り付けられ、カバー本体３ａの他端側（図１中上端側）には、取付端部である環状の開口取付端部３ｂが形成されている。
【００２１】
この取付端部３ｂ内には、カバー本体３ａの円錐台状部と円筒部との連結部内側の環状凸状段部３ｃ上にて、ホルダ５の下部円筒状開口端を載置し固着している。
【００２２】
すなわち、ホルダ５は例えばＰＢＴ等の耐熱性合成樹脂により有蓋円筒状に形成され、その蓋部をなす円板状の基板部５ａの図中下面周縁部に、一端（図１では下端）側に突出する円筒状の円筒部５ｂを一体に連成し、この円筒部５ｂの図１中開口下端を、カバー本体３ａの凸状段部３ｃ上に載置し接着剤等により固着している。
【００２３】
ホルダ５は、基板部５ａ上に、発光管４の一対の電極封止端部４ａ，４ｂを載置させて支持する支持凹部と、これら電極封止端部４ａ，４ｂ同士の間隙内に突出して、その径方向のずれを規制する筒状突部５ｃを突設している。基板部５ａは、その筒状突部５ｃの外側にて、挿通孔５ｄ，５ｅをそれぞれ形成し、これら挿通孔５ｄ，５ｅには、発光管４の一対の電極封止端部４ａ，４ｂからその外方へ突出する細管４ｃと図２で示すアウタワイヤ４ｄ，４ｄをそれぞれ挿通させるようになっている。
【００２４】
グローブ６は、透明または光拡散性を有するガラスや合成樹脂などの材質により、白熱電球などの一般照明用電球のガラス球の形状に近い滑らかな曲面状に形成されている。すなわち、グローブ６は、ほぼ球状に形成された球状部６ａの図１中下端部に、この球状部６ａの直径よりも小径に漸次縮径されたほぼ円筒状の縮径部６ｂを一体に連成しており、球状部６ａはグローブ６の最大径を示す最大径部６ｃを有する。縮径部６ｂは、グローブ６の一端部（図１中下端部）に開口端部６ｄが形成され、この開口端部６ｄの縁部がカバー３の開口取付端部３ｂの内側に嵌合されて例えばシリコーン樹脂やエポキシ樹脂などの接着剤により接着固定されている。
【００２５】
発光管４は、その図１中上部の螺旋形部４ｅと、下部の直状部４ｆとを有し、これらを一体に連結している。螺旋形部４ｅは、外径が例えば１０ｍｍの直状円管状のガラスバルブ４ｇをほぼ等分の２つ折りに折曲し、その等分位置の折返し部４ｈを頂端として図示しない金型に巻き付けて２重螺旋形にモールド成形することにより形成される。
【００２６】
ガラスバルブ４ｇは、その内面に、希土類等の蛍光体膜をほぼ全長に亘って形成し、軸方向両端部には、一対の電極４ｉ，４ｊをそれぞれ封装して電極封止端部４ａ，４ｂをそれぞれ形成している。一対の電極４ｉ，４ｊは、例えばタングステン製のコイル電極が使用されており、例えばビーズガラスにより仮止めされた状態でガラスバルブ４ｇの両端部に封着されている。ガラスバルブ４ｇ内には、アルゴンやクリプトンガス等の放電媒体が封入されており、一対の電極封止端部４ａ，４ｂの外面には、その内部に連通する細管４ｃが突設されている。細管４ｃ内には水銀またはアマルガムが収容されている。
【００２７】
点灯装置７は、後述する点灯回路パターン７０を形成した回路基板７ａをホルダ５内面の一対の縦溝内に嵌入して固定している。すなわち、ホルダ５は、その内面に、その直径方向で対向する一対の縦溝をホルダ５の軸方向に形成し、この縦溝内に回路基板７ａの幅方向両側縁部を嵌入させて固定している。回路基板７ａは片面または両面基板に構成され、その実装面には、電解コンデンサ等のリード部品、トランジスタやセラミックチップコンデンサ等のチップ部品等の点灯回路部品である複数の電子部品７ｂ，７ｂ，…が実装されている。
【００２８】
図３に示すように点灯装置７の点灯回路７０は、商用交流電源ｅにヒューズＦ１を介してフィルタを構成するコンデンサＣ１を接続し、このコンデンサＣ１にはフィルタを構成するインダクタＬ１を介して全波整流器７１の入力端子を接続している。また、この全波整流器７１の出力端子には平滑用の電解コンデンサＣ２が接続されて入力電源回路Ｅが構成され、この入力電源回路Ｅの平滑用の電解コンデンサＣ２には高周波を発生する交流電源としてのハーフブリッジ形のインバータ回路７２のインバータ主回路７３が接続されている。
【００２９】
このインバータ主回路７３は、平滑用の電解コンデンサＣ２に対して並列に、スイッチング素子である互いに相補形となるＭＯＳ形のＮチャネルのトランジスタとしての第１の電界効果トランジスタＱ１およびＭＯＳ形のＰチャネルのトランジスタとしての第２の電界効果トランジスタＱ２が直列に接続されている。Ｎチャネルの第１の電界効果トランジスタＱ１およびＰチャネルの第２の電界効果トランジスタＱ２は互いのソースが接続されている。
【００３０】
第２の電界効果トランジスタＱ２のドレイン、ソース間には、共振インダクタとしてのバラストチョークを構成するトランスＣＴの一次巻線Ｌ２、直流カット用のセラミックチップコンデンサＣ３が接続され、このセラミックチップコンデンサＣ３には発光管４としての蛍光ランプＦＬの両端のフィラメントとしての電極フィラメントコイルＦＬａ，ＦＬｂの一端、例えばＦ１ａがそれぞれ接続され、一方の電極フィラメントコイルＦＬａの他端と他方の電極フィラメントコイルＦＬｂとの他端間には共振に寄与する予熱兼始動用のセラミックチップコンデンサＣ５が接続されている。なお、電極フィラメントコイルＦＬａ，ＦＬｂにはエミッタが塗布されている。また、上記直流カット用と予熱兼始動用のセラミックチップコンデンサＣ３，Ｃ５は、積層セラミックチップコンデンサなどとも呼ばれるもので、誘電体シートに金属ペーストを印刷したものを層状に重ねて焼成し、この積層体の両端に電極を接続して構成される。例えば、発光管４の寿命末期の不点灯状態の継続により、長時間始動用の電圧が加わると、セラミックの薄膜が破損して、短絡した状態で破壊する可能性があり、さらに、短絡した状態で過大な電流が流れ続けると、過度に温度が上昇して周囲の部品に熱的な影響を及ぼす可能性がある。
【００３１】
そして、平滑用の電解コンデンサＣ２と第１の電界効果トランジスタＱ１のゲートおよび第２の電界効果トランジスタＱ２のゲートとの間には、起動回路７５を構成する起動用の抵抗Ｒ１が接続され、これら第１の電界効果トランジスタＱ１のゲートおよび第２の電界効果トランジスタＱ２のゲートと第１の電界効果トランジスタＱ１および第２の電界効果トランジスタＱ２のソースとの間に、コンデンサＣ６およびコンデンサＣ７の直列回路が接続され、これらコンデンサＣ６およびゲート制御手段としてのゲート制御回路７７のコンデンサＣ７の直列回路に対して並列に第１の電界効果トランジスタＱ１および第２の電界効果トランジスタＱ２のゲート保護のためのツェナダイオードＺＤ１およびツェナダイオードＺＤ２の直列回路が接続されている。また、トランスＣＴの一次巻線Ｌ２には、二次巻線Ｌ３が磁気的に結合して設けられ、この二次巻線Ｌ３は一端がコンデンサＣ６およびコンデンサＣ７の接続点に接続されたインダクタＬ４の他端と放電用抵抗Ｒ２との接続点に接続されている。また、コンデンサＣ６は起動回路７５のトリガ素子を構成するものでもあり、このコンデンサＣ６とインダクタＬ４との直列回路に対して並列に、起動回路７５の放電用抵抗Ｒ２が接続されている。さらに、第２の電界効果トランジスタＱ２のドレイン、ソース間には、起動回路７５の抵抗Ｒ３およびスイッチング改善用のコンデンサＣ８の並列回路が接続されている。
【００３２】
図１（Ａ）は、上記直流カット用セラミックチップコンデンサＣ３と予熱兼始動用のセラミックチップコンデンサＣ５の一方を電子部品７ｂの一種として回路基板７ａにそれぞれ実装した状態の要部拡大平面図、同図（Ｂ）は同図（Ａ）のＩＢ−ＩＢ線断面図である。
【００３３】
これら図１（Ａ），（Ｂ）に示すようにこれら直流カット用，予熱兼始動用のセラミックチップコンデンサＣ３，Ｃ５は、そのコンデンサ本体ａの両端に一対の電極ｂ，ｃをそれぞれ配設している。回路基板７ａは、絶縁基板７ｃの回路部品実装面上に、点灯回路７０の通電路としての回路パターン７６と、一対の半田パッド７ｄ，７ｅを形成している。
【００３４】
これら一対の半田パッド７ｄ，７ｅ上には、セラミックチップコンデンサＣ３，Ｃ５の一対の電極ｂ，ｃが載置されて半田ｄにより固着され、電気的にも接続されている。絶縁基板７ｃの回路部品実装面には電気絶縁膜７ｆが被覆されている。
【００３５】
そして、これらセラミックチップコンデンサＣ３，Ｃ５のコンデンサ本体ａの図１（Ｂ）中下面の直下または、その近傍下方にて、電気絶縁膜７ｆを介して通電路７６の一部である回路パターンの一部７６ａ，７６ｂがコンデンサ本体ａの径（幅）方向に延在するように配設されている。
【００３６】
図３に示すように、例えば直流カット用セラミックチップコンデンサＣ３には、その下面下方において、その一方の電極ｂまたはｃに接続された回路パターン７６の一部７６ａを近接した状態で通しており、この直流カット用セラミックチップコンデンサＣ３の短絡時の高温の異常発熱により、この回路パターンの一部７６ａを焼き切るようになっている。
【００３７】
同じように、予熱兼始動用のセラミックチップコンデンサＣ５についても、その下面直下または、その近傍下方において、その一方の電極ｂまたはｃに接続された回路パターンの一部７６ｂを近接させた状態で通しており、この予熱兼始動用セラミックチップコンデンサＣ５の短絡時の高温の異常発熱により、この回路パターンの一部７６ｂを焼き切るようになっている。
【００３８】
次に、点灯装置７の動作について説明する。
【００３９】
まず、電源が投入されると、商用交流電源ｅの電圧が全波整流器７１で全波整流され、平滑用の電解コンデンサＣ２で平滑されて直流に変換される。
【００４０】
この直流電圧は起動回路７５の抵抗Ｒ１を介してＮチャンネルの第１の電界効果トランジスタＱ１のゲートに印加され、第１の電界効果トランジスタＱ１がオンする。第１の電界効果トランジスタＱ１のオンにより、トランスＣＴの一次巻線Ｌ２、直流カット用コンデンサＣ３、共振セラミックチップコンデンサＣ５の閉路に電圧が印加され、トランスＣＴの一次巻線Ｌ２、直流カット用コンデンサＣ３、共振セラミックチップコンデンサＣ５は直列共振する。また、トランスＣＴの一次巻線Ｌ２のインダクタンス成分の共振波形に応じた電圧がトランスＣＴの二次巻線Ｌ３に誘起され、ゲート制御回路７７のコンデンサＣ７とインダクタＬ４とのＬＣ直列回路が固有共振して略一定の周波数で第１の電界効果トランジスタＱ１をオンさせ、第２の電界効果トランジスタＱ２をオフさせる電圧を発生する。
【００４１】
次いで、トランスＣＴの一次巻線Ｌ２、コンデンサＣ３、共振セラミックチップコンデンサＣ５の共振電圧が反転すると二次巻線Ｌ３には前回と逆向の電圧が発生し、ゲート制御回路７７は第１の電界効果トランジスタＱ１をオフさせ、第２の電界効果トランジスタＱ２をオンさせる電圧を発生する。さらに、トランスＣＴの一次巻線Ｌ２、コンデンサＣ３、共振セラミックチップコンデンサＣ５の共振電圧が反転すると、第１の電界効果トランジスタＱ１がオンするとともに、第２の電界効果トランジスタＱ２がオフする。以後、同様に、第１の電界効果トランジスタＱ１および第２の電界効果トランジスタＱ２が交互にオン、オフして、共振電圧が発生し、共振電流が流れる。
【００４２】
また、蛍光ランプＦＬの電極フィラメントコイルＦＬａ，ＦＬｂを介して、共振コンデンサであるセラミックチップコンデンサＣ５に共振電流が流れるため、電極フィラメントコイルＦＬａ，ＦＬｂは共振電圧が上昇するまで十分な時間をかけて直接予熱される。そして、共振電流が増加するとともに、バラストチョークを構成するトランスＣＴの一次巻線Ｌ２が飽和し、ランプ始動に必要な電圧まで電圧が上昇すると、蛍光ランプＦＬは放電を開始し、始動、点灯する。
【００４３】
この点灯中、何らかの理由により直流カット用コンデンサＣ３と予熱兼始動用コンデンサＣ５の少なくとも一方が故障し短絡すると、この直流カット用コンデンサＣ３と予熱兼始動用コンデンサＣ５の少なくとも一方が異常発熱し、その高温発熱により、この直流カット用コンデンサＣ３と予熱兼始動用コンデンサＣ５の少なくとも一方の一端にそれぞれ接続された回路パターンの一部７６ａ，７６ｂの少なくとも一方が焼き切られる。
【００４４】
このために、この回路パターンの一部７６ａまたは７６ｂを通して蛍光ランプＦＬにそれぞれ供給されていた電力の供給が遮断されるので、蛍光ランプＦＬの点灯が強制的に停止される。
【００４５】
これにより、直流カット用コンデンサＣ３と予熱兼始動用コンデンサＣ５の少なくとも一方が故障して異常発熱しても蛍光ランプＦＬが点灯を続行する場合の蛍光ランプＦＬ等の異常昇温を未然に防止することができるので、安全性を向上させることができる。
【００４６】
また、蛍光ランプＦＬの寿命・末期等によりランプ電圧が上昇して直流カット用コンデンサＣ３と予熱兼始動用コンデンサＣ５の少なくとも一方が短絡するような故障が発生した場合、電球形蛍光ランプ１は蛍光ランプＦＬと点灯装置７０が一体に構成されているために、蛍光ランプＦＬのみを交換して点灯装置７０の使用を続行することはないので、蛍光ランプＦＬの寿命が尽きるのとほぼ同時に点灯装置７０を自損させてもコスト増を招くことはない。
【００４７】
さらに、予熱兼始動用セラミックチップコンデンサＣ５をセラミックチップコンデンサにより構成するので、フィルムコンデンサを使用する場合に比して小形化を図ることができる。また、この電球形蛍光ランプ１によれば、直流カット用コンデンサＣ３と予熱兼始動用コンデンサＣ５の少なくとも一方の短絡等により発生する過電流から点灯回路７０を保護する保護回路等を別途設ける必要がないので、点灯装置７０の小形化とコスト低減を共に図ることができる。
【００４８】
図４は本発明の第２の実施形態に係る点灯回路７０Ａの回路図である。この点灯回路７０Ａは、蛍光ランプＦＬの非電源側にも予熱兼始動用セラミックチップコンデンサＣ４を並列に接続することにより、蛍光ランプＦＬの電源側と非電源側の両者に予熱兼始動用セラミックチップコンデンサＣ４，Ｃ５を設けた点に特徴がある。これ以外の構成は図３で示す点灯回路７０と同一の構成である。
【００４９】
そして、この電源側の予熱兼始動用セラミックチップコンデンサＣ４についても、上記セラミックチップコンデンサＣ５と同様に、その一端側に接続された回路パターンの一部７６ｃが図１（Ａ），（Ｂ）に示すようにこの電源側の予熱兼始動用セラミックチップコンデンサＣ４のコンデンサ本体ａの直下または近傍下方を電気絶縁膜７５を介して通るように基板７ａ上に実装しており、この電源側の予熱兼始動用セラミックチップコンデンサＣ４が短絡等により異常発熱したときに、この高温発熱によりこの回路パターンの一部７６ｃを焼き切るようになっている。なお、この電源側の予熱兼始動用セラミックチップコンデンサＣ４の下方に通される回路パターンの一部７６ｃは、この予熱兼始動用セラミックチップコンデンサＣ４の一端に接続された回路パターンの一部に限定されるものではなく、蛍光ランプＦＬに電流を供給する主電流回路パターンの一部であればよい。
【００５０】
したがって、蛍光ランプＦＬの寿命末期時等において過負荷になった場合、電源側の予熱兼始動用セラミックチップコンデンサＣ４が短絡する不具合が発生した場合には、この予熱兼始動用セラミックチップコンデンサＣ４の高温発熱により回路パターンの一部７６ｃを焼き切って、蛍光ランプＦＬへの通電を遮断して、点灯を強制的に停止させることができる。
【００５１】
このために、この電源側の予熱兼始動用セラミックチップコンデンサＣ４の短絡によっても蛍光ランプＦＬの点灯を強制的に停止させることができるので、この分、安全性をさらに向上させることができる。
【００５２】
また、蛍光ランプＦＬの点灯時には、共振電流が電源側の予熱兼始動用セラミックチップコンデンサＣ４にも分流され、フィラメントＦＬａ，ＦＬｂに流れる電流を減少させることができるので、その分、フィラメントロスを低減することができる。このために、点灯時のフィラメントロスを低減するために、例えばネガティブサーミスタ（ＮＴＣ）等をフィラメントＦＬａ，ＦＬｂに並列に接続する必要もなくなる。
【００５３】
そして、これら２つの予熱兼始動用セラミックチップコンデンサＣ４，Ｃ５の容量は互いに変えてもよい。この場合、容量の大きい方に３２２５サイズを使用し、容量の小さい方に３２１６サイズを使用することにより、これらセラミックチップコンデンサＣ４，Ｃ５を実装する基板７ａの大形化を抑制することができる。
【００５４】
また、これらセラミックチップコンデンサＣ４，Ｃ５の容量比を、蛍光ランプＦＬのフィラメントＦＬａ，ＦＬｂの断線時に共振が維持できなくなる値に設定してもよい。この場合は、蛍光ランプＦＬのフィラメントＦＬａ，ＦＬｂの断線時に点灯回路７０Ａの共振が停止するので、蛍光ランプＦＬの点灯を強制的に停止させることができる。
【００５５】
さらに、これらセラミックチップコンデンサＣ４，Ｃ５の容量比を、蛍光ランプＦＬのフィラメントＦＬａ，ＦＬｂの断線時に点灯回路が過負荷状態になるように設定してもよい。この場合は、蛍光ランプＦＬのフィラメントＦＬａ，ＦＬｂの断線時に過電流が第１，第２のトランジスタＱ１，Ｑ２を流れてこれらＱ１，Ｑ２が破壊されるので、点灯回路７０Ａを停止させることができる。
【００５６】
例えば、電源側のセラミックチップコンデンサＣ４の容量を非電源側の予熱兼始動用セラミックチップコンデンサＣ５の容量よりも大きく設定する（Ｃ４＞Ｃ５）と、蛍光ランプＦＬのフィラメントＦＬａ，ＦＬｂが寿命末期等で断線したときに、非電源側の予熱兼始動用セラミックチップコンデンサＣ５が蛍光ランプＦＬから切り離される。
【００５７】
一方、このとき、電源側の予熱兼始動用セラミックチップコンデンサＣ４は共振を維持するので、過電流が第１，第２のトランジスタＱ１，Ｑ２に流れてこれらＱ１，Ｑ２を破壊させるので、点灯回路７０Ａの作動が短時間で停止する。
【００５８】
また、これとは逆に、電源側の予熱兼始動用セラミックチップコンデンサＣ４の容量を非電源側の予熱兼始動用セラミックチップコンデンサＣ５の容量よりも小さく設定（Ｃ４＜Ｃ５）すると、蛍光ランプＦＬのフィラメントＦＬａ，ＦＬｂの断線時に、電源側の予熱兼始動用セラミックチップコンデンサＣ４の共振電流が小さくなって、共振が停止し、点灯回路７０Ａの作動が停止する。
【００５９】
なお、上記実施形態では発光管として螺旋形蛍光ランプを使用した場合について説明したが、本発明はこれに限定されるものではなく、例えば複数本のＵ字形バルブを並設して１本の放電路を形成した屈曲形の蛍光ランプでもよい。
【００６０】
さらに、発光管としてはＬＥＤ（発光ダイオード）でもよく、この場合は、上記インバータ形の点灯回路７０，７０Ａを使用できないが、コンデンサを有する点灯回路に使用できる。
【図面の簡単な説明】
【００６１】
【図１】（Ａ）は本発明の第１の実施形態等の要部平面図、（Ｂ）は同図（Ａ）のＩＢ−ＩＢ線断面図。
【図２】本発明の第１の実施形態に係る電球形蛍光ランプの一部を縦断面図で示す正面図。
【図３】本発明の第１の実施形態の点灯回路の回路図。
【図４】本発明の第２の実施形態の点灯回路の回路図。
【符号の説明】
【００６２】
１…電球形蛍光ランプ、４…蛍光ランプ、６…グローブ、７……点灯装置、７ａ…回路基板、７ｃ…絶縁基板、７ｄ…電極パッド、ａ…セラミックチップコンデンサの本体、ｂ，ｃ…セラミックチップコンデンサの一対の電極、７０，７０Ａ…点灯回路、Ｃ３…直流カットセラミックチップコンデンサ、Ｃ４…電源側予熱兼始動用セラミックチップコンデンサ、Ｃ５…非電源側予熱兼始動用セラミックチップコンデンサ。
【図１】
2010040178.tif 000003
【図２】
2010040178.tif 000004
【図３】
2010040178.tif 000005
【図４】
2010040178.tif 000006